(57)【要約】【課題】簡略な構造で着用者の脚周りのフィット性の向上を図る。【解決手段】  吸収体コア１１を有する吸収性本体部１と、吸収性本体部１が取り付けられて、当該吸収性本体部１とともに着用者の脚周りに接触する脚周り部２ａを形成し、且つ、着用者の胴周りに接触する胴周り部２ｂを形成する吸収体取付シート部２とを備えるパンツ型紙おむつ１００である。吸収体取付シート部２は、それぞれ略矩形状に形成され、着用者の腹側に設けられる腹側部２１及び着用者の背側に設けられる背側部２２を有し、腹側部２１及び背側部２２の胴周り方向側の端部どうしが接続されてなり、腹側部２１及び背側部２２の各々には、胴周り方向に略平行に延設された複数の第一糸ゴム２５と、胴周り方向と交差する方向に延設された複数の第二糸ゴム２６とが設けられている。【選択図】図１
2006122456.tif 000002
【特許請求の範囲】
【請求項１】
吸収体を有する吸収性本体部と、前記吸収性本体部が取り付けられて、当該吸収性本体部とともに着用者の脚周りに接触する脚周り部を形成し、且つ、前記着用者の胴周りに接触する胴周り部を形成する吸収体取付シート部とを備えるパンツ型紙おむつであって、
前記吸収体取付シート部は、それぞれ略矩形状に形成され、着用者の腹側に設けられる腹側部及び前記着用者の背側に設けられる背側部を有し、前記腹側部及び前記背側部の胴周り方向側の端部どうしが接続されてなり、
前記腹側部及び前記背側部の各々には、前記胴周り方向に略平行に延設された複数の第一の弾性部材と、前記胴周り方向と交差する方向に延設された複数の第二の弾性部材とが設けられていることを特徴とするパンツ型紙おむつ。
【請求項２】
吸収体を有する吸収性本体部と、前記吸収性本体部が取り付けられて、当該吸収性本体部とともに着用者の脚周りに接触する脚周り部を形成し、且つ、前記着用者の胴周りに接触する胴周り部を形成する吸収体取付シート部とを備えるパンツ型紙おむつであって、
前記吸収体取付シート部は、
略矩形状に形成され、胴周り方向側の端部どうしが接続されてなり、
前記胴周り方向に略平行に延設された複数の第一の弾性部材と、前記胴周り方向と交差する方向に延設された複数の第二の弾性部材とを備えることを特徴とするパンツ型紙おむつ。
【請求項３】
前記吸収体取付シート部の前記端部どうしは、着用者の腹側にて接続され、
前記端部どうしを互いに係止離脱自在な係止部を備えることを特徴とする請求項２に記載のパンツ型紙おむつ。
【請求項４】
前記吸収性本体部は、前記吸収体取付シート部に略直交するように取り付けられ、
前記第二の弾性部材は、前記吸収体取付シート部の前記吸収性本体部の幅方向の中心が重なる位置を最下点として股下側に凸に、且つ、当該パンツ型紙おむつが着用された着用者の左右側となる位置を最上点として前記吸収体取付シート部の胴周り開口側に凸となるように曲線状に延設されていることを特徴とする請求項１〜３の何れか一項に記載のパンツ型紙おむつ。
【請求項５】
前記第二の弾性部材の振幅が前記吸収体取付シート部の上下方向の長さと略等しくなっていることを特徴とする請求項４に記載のパンツ型紙おむつ。
【請求項６】
前記第一の弾性部材及び前記第二の弾性部材の少なくとも何れか一方は、前記吸収体側の所定位置にて切断されていることを特徴とする請求項１〜５の何れか一項に記載のパンツ型紙おむつ。
【発明の詳細な説明】
【技術分野】
【０００１】
本発明は、パンツ型紙おむつに関する。
【背景技術】
【０００２】
従来、吸収体がシート状の外装体に取り付けられてなる紙おむつが知られており、近年では、紙おむつをパンツ型に成形してなるパンツ型紙おむつも開発されている。
パンツ型紙おむつには、着用者の身体に対する密着性、即ち、着用者の胴周りや脚周りのフィット性の向上を図るために外装体に胴周りや脚周りに沿うように糸ゴム等の弾性部材が配設されたものがある（例えば、特許文献１及び特許文献２参照。）。
【０００３】
【特許文献１】特開２００１−２０４７６２号公報
【特許文献２】特表２００３−５２８６４９号公報
【発明の開示】
【発明が解決しようとする課題】
【０００４】
しかしながら、上記特許文献１及び特許文献２等の場合、着用者の脚周りのフィット性の向上を図るためには、外装体の幅方向縁部を脚周りに沿うような所定のＲ形状に切り欠く必要がある。
【０００５】
そこで、本発明の課題は、簡略な構造で脚周りのフィット性の向上を図ることができるパンツ型紙おむつを提供することである。
【課題を解決するための手段】
【０００６】
請求項１に記載の発明は、例えば、図１〜図８等に示すように、
吸収体（１１）を有する吸収性本体部（１、２０１）と、前記吸収性本体部が取り付けられて、当該吸収性本体部とともに着用者の脚周りに接触する脚周り部（２ａ）を形成し、且つ、前記着用者の胴周りに接触する胴周り部（２ｂ）を形成する吸収体取付シート部（２）とを備えるパンツ型紙おむつ（１００、２００）であって、
前記吸収体取付シート部は、それぞれ略矩形状に形成され、着用者の腹側に設けられる腹側部（２１）及び前記着用者の背側に設けられる背側部（２２）を有し、前記腹側部及び前記背側部の胴周り方向側の端部（２１ａ、２２ａ）どうしが接続されてなり、
前記腹側部及び前記背側部の各々には、前記胴周り方向に略平行に延設された複数の第一の弾性部材（例えば、第一糸ゴム２５等）と、前記胴周り方向と交差する方向に延設された複数の第二の弾性部材（例えば、第二糸ゴム２６、２２６等）とが設けられていることを特徴としている。
【０００７】
請求項２に記載の発明は、例えば、図９〜図１１等に示すように、
吸収体（１１）を有する吸収性本体部（２０１）と、前記吸収性本体部が取り付けられて、当該吸収性本体部とともに着用者の脚周りに接触する脚周り部（２ａ）を形成し、且つ、前記着用者の胴周りに接触する胴周り部（２ｂ）を形成する吸収体取付シート部（３０２）とを備えるパンツ型紙おむつ（３００）であって、
前記吸収体取付シート部は、
略矩形状に形成され、胴周り方向側の端部（３０２ａ）どうしが接続されてなり、
前記胴周り方向に略平行に延設された複数の第一の弾性部材（例えば、第一糸ゴム２５等）と、前記胴周り方向と交差する方向に延設された複数の第二の弾性部材（例えば、第二糸ゴム２６等）とを備えることを特徴としている。
【０００８】
請求項３に記載の発明は、例えば、図１０等に示すように、請求項２に記載のパンツ型紙おむつにおいて、
前記吸収体取付シート部の前記端部どうしは、着用者の腹側にて接続され、
前記端部どうしを互いに係止離脱自在な係止部（例えば、ファスニングテープ３０３等）を備えることを特徴としている。
【０００９】
請求項４に記載の発明は、請求項１〜３の何れか一項に記載のパンツ型紙おむつにおいて、
前記吸収性本体部は、前記吸収体取付シート部に略直交するように取り付けられ、
前記第二の弾性部材は、前記吸収体取付シート部の前記吸収性本体部の幅方向の中心が重なる位置を最下点として股下側に凸に、且つ、当該パンツ型紙おむつが着用された着用者の左右側となる位置を最上点として前記吸収体取付シート部の胴周り開口側に凸となるように曲線状に延設されていることを特徴としている。
【００１０】
請求項５に記載の発明は、請求項４に記載のパンツ型紙おむつにおいて、
前記第二の弾性部材の振幅が前記吸収体取付シート部の上下方向の長さと略等しくなっていることを特徴としている。
【００１１】
請求項６に記載の発明は、請求項１〜５の何れか一項に記載のパンツ型紙おむつにおいて、
前記第一の弾性部材及び前記第二の弾性部材の少なくとも何れか一方は、前記吸収体側の所定位置にて切断されていることを特徴としている。
【発明の効果】
【００１２】
請求項１に記載の発明によれば、吸収体を有する吸収性本体部が取り付けられる吸収体取付シート部は、それぞれ略矩形状に形成され、着用者の腹側に設けられる腹側部及び着用者の背側に設けられる背側部を有し、腹側部及び背側部の胴周り方向側の端部どうしが接続されている。また、腹側部及び背側部の各々には、胴周り方向に略平行に延設された複数の第一の弾性部材と、胴周り方向と交差する方向に延設された複数の第二の弾性部材とが設けられているので、第一の弾性部材及び第二の弾性部材により、吸収体取付シート部を胴周り方向だけでなく、胴周り方向と交差する方向にも伸縮させることができることとなって、着用者の脚周りのフィット性を向上させることができる。さらに、着用者の脚周りに接触する脚周り部及び胴周りに接触する胴周り部を形成する吸収体取付シート部を着用者の胴周りから脚周りに亘ってより適正に接触させることができるので、当該パンツ型紙おむつのフィット性を向上させて、水様成分の漏出を防止することができる。
従って、吸収体取付シート部の幅方向縁部を従来のように着用者の脚周りに沿うように所定のＲ形状に切り欠く必要がなくなり、パンツ型紙おむつの構成材料を無駄にすることがなくなるとともに、簡略な構造で着用者の脚周りのフィット性の向上を適正に図ることができる。
【００１３】
請求項２に記載の発明によれば、吸収体を有する吸収性本体部が取り付けられる吸収体取付シート部は、略矩形状に形成され、胴周り方向側の端部どうしが接続されてなり、胴周り方向に略平行に延設された複数の第一の弾性部材と、胴周り方向と交差する方向に延設された複数の第二の弾性部材とを備えているので、第一の弾性部材及び第二の弾性部材により、吸収体取付シート部を胴周り方向だけでなく、胴周り方向と交差する方向にも伸縮させることができることとなって、着用者の脚周りのフィット性を向上させることができる。さらに、着用者の脚周りに接触する脚周り部及び胴周りに接触する胴周り部を形成する吸収体取付シート部を着用者の胴周りから脚周りに亘ってより適正に接触させることができるので、当該パンツ型紙おむつのフィット性を向上させて、水様成分の漏出を防止することができる。
従って、吸収体取付シート部の幅方向縁部を従来のように着用者の脚周りに沿うように所定のＲ形状に切り欠く必要がなくなって、パンツ型紙おむつの構成材料を無駄にすることがなくなる。また、吸収体取付シート部の接続箇所が一つであるので、パンツ型紙おむつの外観をよりすっきりとしたものとすることができる。このように、簡略な構造で着用者の脚周りのフィット性の向上を適正に図ることができる。
【００１４】
請求項３に記載の発明によれば、請求項２に記載の発明と同様の効果が得られるのは無論のこと、特に、吸収体取付シート部の端部どうしは、着用者の腹側にて接続され、端部どうしを互いに係止離脱自在な係止部が備えられているので、当該係止部により吸収体取付シート部の着用者の身体に対するフィット性の調節、即ち、吸収体取付シート部による身体の締め付け力の調節を適正に行うことができる。
【００１５】
請求項４に記載の発明によれば、請求項１〜３に記載の発明と同様の効果が得られるのは無論のこと、特に、第二の弾性部材は、吸収体取付シート部の吸収性本体部の幅方向の中心が重なる位置を最下点として股下側に凸に、且つ、当該パンツ型紙おむつが着用された着用者の左右側となる位置を最上点として吸収体取付シート部の胴周り開口側に凸となるように曲線状に延設されている。これにより、吸収体取付シート部に、着用者の脚周りに沿うような配置で第二の弾性部材が設けられた脚周り部を構成することができることとなって、着用者の脚周りのフィット性の向上をより適正に図ることができる。
【００１６】
請求項５に記載の発明によれば、請求項４に記載の発明と同様の効果が得られるのは無論のこと、特に、第二の弾性部材の振幅が吸収体取付シート部の上下方向の長さと略等しくなっている。つまり、吸収体取付シート部に第二の弾性部材をより長く延在させることができ、これにより、吸収性本体部の胴周り方向と交差する方向に対する伸縮性を向上させて、着用者の脚周りに対するフィット性をより向上させることができる。
【００１７】
請求項６に記載の発明によれば、請求項１〜５に記載の発明と同様の効果が得られるのは無論のこと、特に、第一の弾性部材及び第二の弾性部材の少なくとも何れか一方は、吸収体側の所定位置にて切断されているので、吸収体取付シート部がその吸収体側にて必要以上に引っ張られることがなくなり、当該パンツ型紙おむつの着用者の身体に対するフィット性の向上を図ることができる。
【発明を実施するための最良の形態】
【００１８】
以下に、本発明について、図面を用いて具体的な態様を説明する。ただし、発明の範囲は、図示例に限定されない。
【００１９】
［実施形態１］
図１は、本発明を適用した実施形態１のパンツ型紙おむつの展開図であり、図２は、図１のパンツ型紙おむつを組み立てた斜視図である。また、図３は、図１のIII−III線におけるパンツ型紙おむつの要部断面図であり、図４は、図１のIV−IV線におけるパンツ型紙おむつの要部断面図である。
【００２０】
図１に示すように、実施形態１のパンツ型紙おむつ１００は、吸収体コア１１を有する吸収性本体部１と、この吸収性本体部１が取り付けられる吸収体取付シート部２とを備えて構成され、図２に示すように、吸収体取付シート部２を構成する腹側部２１及び背側部２２（後述）の幅方向（胴周り方向）Ａ側の端部どうし２１ａ、２２ａが固着されることでパンツ型に成形されるようになっている。
【００２１】
吸収性本体部１は、パンツ型紙おむつ１００の着用時に着用者の股間部を被覆して、体液としての尿等の水様成分を吸収するものであり、腹側部２１及び背側部２２（吸収体取付シート部２）の幅方向Ａに対して略直交する方向に延在するように形成されている。
具体的には、吸収性本体部１は、図３に示すように、例えば、表面（人体との当接面）側に配された透液性のトップシート１２と、裏面側に配された不透液性のバックシート１３と、これらトップシート１２とバックシート１３との間に配設され、綿やパルプ等の吸収性素材や、繊維或いはフィルム等のシート状基材と高吸水性樹脂とが組み合わされて形成された吸収体コア（吸収体）１１とにより構成されている。
【００２２】
また、吸収性本体部１の長手方向の縁部１ａは、着用者の脚周りに沿うように所定のＲ形状に切り欠かれているとともに、当該縁部１ａのそれぞれに沿って所定数の糸ゴム１４が配設されている。これにより、着用者の脚周りに対するフィット性が向上されている。
【００２３】
また、吸収性本体部１は、腹側部２１及び背側部２２の人体側の面に、当該吸収性本体部１の長手方向に直交する幅方向Ａの中心位置を腹側部２１及び背側部２２の幅方向Ａの中心位置とほぼ重ねるように配設されている。
【００２４】
吸収体取付シート部２は、当該パンツ型紙おむつ１００の着用者の腹側に設けられる腹側部２１と、着用者の背側に設けられる背側部２２とを備えて構成されている。
腹側部２１及び背側部２２は、例えば、それぞれ略矩形状をなし、互いにほぼ等しい形状に形成されている。より具体的には、腹側部２１及び背側部２２は、その上下方向の長さが着用者の腰部から臀部全体にかけて被覆することができる程度の長さに設定されている。即ち、パンツ型に成形された状態で、腹側部２１及び背側部２２の股下部側の部分は、吸収性本体部１の長手方向の縁部１ａとともに着用者の脚周りに接触する脚周り部２ａ、２ａを形成するとともに、腹側部２１及び背側部２２の脚周り部２ａよりも上側の部分にて着用者の胴周りに接触する胴周り部２ｂを形成するようになっている。
【００２５】
また、腹側部２１及び背側部２２は、図４に示すように、表面側に配され、透液性を有する表面シート２３と、裏面側に配され、不透液性を有する裏面シート２４とを備えて構成されている。
【００２６】
腹側部２１及び背側部２２の表面シート２３と裏面シート２４との間には、その幅方向Ａと略平行に複数の第一糸ゴム２５（第一の弾性部材）が所定間隔を空けて延設されている。第一糸ゴム２５は、腹側部２１及び背側部２２の幅方向Ａ側の一方の端部２１ａ、２２ａから他方の端部２１ａ、２２ａに亘らせるように配設されている。
さらに、腹側部２１及び背側部２２の表面シート２３と裏面シート２４との間には、幅方向Ａと交差する方向に延設された複数の第二糸ゴム２６（第二の弾性部材）が所定間隔を空けて延設されている。より具体的には、第二糸ゴム２６は、例えば、腹側部２１及び背側部２２の幅方向Ａ側の一方の端部２１ａ、２２ａから他方の端部２１ａ、２２ａまでほぼコサインカーブを描くように延設されている。即ち、第二糸ゴム２６は、腹側部２１及び背側部２２の幅方向Ａの中心（吸収性本体部１の幅方向Ａの中心が重なる位置）を最下点として股下側に凸に、且つ、腹側部２１及び背側部２２の幅方向Ａ側の両端部２１ａ、２２ａ（着用者の左右側となる位置）を最上点として吸収体取付シート部２の胴周り開口側に凸となるように曲線状に延設されている。つまり、第二糸ゴム２６は、着用者の脚周りに沿うような形状に延設されている。
【００２７】
また、第一糸ゴム２５及び第二糸ゴム２６は、例えば、腹側部２１及び背側部２２の吸収性本体部１の長手方向の縁部１ａとほぼ重なる位置（吸収体側の所定位置）にて切断されている。従って、第一糸ゴム２５及び第二糸ゴム２６により、腹側部２１及び背側部２２が必要以上に中心側に引っ張られることを防止することができ、当該パンツ型紙おむつ１００の着用者の身体に対するフィット性の向上を図ることができる。
【００２８】
次に、第一糸ゴム２５及び第二糸ゴム２６の吸収体取付シート部２に対する配設方法について説明する。
ここで、第一糸ゴム２５及び第二糸ゴム２６の吸収体取付シート部２に対する配設は、当該吸収体取付シート部２に対する吸収性本体部１の取り付け以前に行われるようになっている。
具体的には、第一糸ゴム２５にあっては、所定の力で引っ張られた状態で例えばホットメルト接着剤が塗布された腹側部２１及び背側部２２の裏面シート２４上に配設されるようになっている。
また、第二糸ゴム２６にあっては、例えば、裏面シート２４上にその胴周り開口側の所定位置から中央部よりもわずかに股下側の部分にかけて上下方向に並ぶように、当該裏面シート２４の幅方向Ａに沿って配置される。その後、当該第二糸ゴム２６は、その裏面シート２４の幅方向Ａの中心に対応する部分が所定の糸ゴム掴み手段（図示略）により掴まれて股下部側に引き寄せられることにより、引っ張られた状態となって略等間隔を空けたままコサインカーブ状に配設される。
【００２９】
そして、第一糸ゴム２５及び第二糸ゴム２６を覆うように裏面シート２４に表面シート２３が重ね合わされて、これら裏面シート２４と表面シート２３がヒートシールされる。
その後、第一糸ゴム２５及び第二糸ゴム２６は、吸収体コア１１側の所定位置にて切断されるようになっている。
【００３０】
以上のように、本実施形態のパンツ型紙おむつ１００によれば、第一糸ゴム２５及び第二糸ゴム２６により、吸収体取付シート部２を胴周り方向Ａだけでなく、胴周り方向Ａと交差する方向にも伸縮させることができることとなって、着用者の脚周りのフィット性を向上させることができる。さらに、着用者の脚周りに接触する脚周り部２ａ及び胴周りに接触する胴周り部２ｂを形成する吸収体取付シート部２を着用者の胴周りから脚周りに亘ってより適正に接触させることができるので、当該パンツ型紙おむつ１００のフィット性を向上させて、水様成分の漏出を防止することができる。
従って、吸収体取付シート部２の幅方向縁部を従来のように着用者の脚周りに沿うように所定のＲ形状に切り欠く必要がなくなって、パンツ型紙おむつ１００の構成材料を無駄にすることがなくなる。さらに、脚周りのフィット性をより向上させるために脚周りギャザーを設ける必要がなくなって、当該パンツ型紙おむつ１００を着用者の身体に沿うようなすっきりした外観とすることができる。このように、簡略な構造で着用者の脚周りのフィット性の向上を適正に図ることができる。
【００３１】
また、第二糸ゴム２６は、腹側部２１及び背側部２２の吸収性本体部１の幅方向Ａの中心が重なる位置を最下点として股下側に凸に、且つ、当該パンツ型紙おむつ１００が着用された着用者の左右側となる位置を最上点として吸収体取付シート部２の胴周り開口側に凸となるように曲線状に延設されている。これにより、吸収体取付シート部２に、着用者の脚周りに沿うような配置で第二糸ゴム２６が設けられた脚周り部２ｂを構成することができることとなって、着用者の脚周りのフィット性の向上をより適正に図ることができる。
【００３２】
なお、上記実施形態では、吸収性本体部１として、その長手方向の縁部１ａが所定のＲ形状に切り欠かれたものを例示したが、これに限られるものではなく、例えば、切り欠きが形成されていない吸収性本体部１（図５等参照；後述）であっても良い。
【００３３】
［実施形態２］
以下に、実施形態２のパンツ型紙おむつ２００について図５〜図８を参照して説明する。
ここで、図５は、本発明を適用した実施形態２のパンツ型紙おむつ２００の展開図であり、図６は、パンツ型紙おむつ２００を組み立てた斜視図である。また、図７は、パンツ型紙おむつ２００に備わる吸収性本体部２０１の斜視図であり、図８は、図７のVIII−VIII線における吸収性本体部２０１の要部断面図である。
なお、実施形態２のパンツ型紙おむつ２００は、第二糸ゴム２２６の配置及び吸収性本体部２０１以外の点では上記実施形態１と略同様であるので、同様の構成には同一の符号を付してその説明を省略する。
【００３４】
図５及び図６に示すように、実施形態２のパンツ型紙おむつ２００には、互いの間隔が腹側部２１及び背側部２２の幅方向Ａの両端部２１ａ、２２ａ及び中心部にて収束するような配置で複数の第二糸ゴム２２６が配設されている。具体的には、複数の第二糸ゴム２２６は、腹側部２１及び背側部２２の幅方向Ａの両端部２１ａ、２２ａにおいて当該腹側部２１及び背側部２２の胴周り開口側の端部で重なるように配置され、且つ、腹側部２１及び背側部２２の幅方向Ａの中心部において当該腹側部２１及び背側部２２の股下側の端部で重なるように配置されている。つまり、第二糸ゴム２２６の振幅が吸収体取付シート部２の上下方向の長さと略等しくなっており、第二糸ゴム２２６の配置を着用者の脚周りにより沿わせるような配置とすることができる。
【００３５】
なお、第二糸ゴム２２６の配設方法にあっては、上記実施形態１に係る配設方法と略同様にして、当該第二糸ゴム２２６は、ホットメルト接着剤が塗布された裏面シート２４上にその胴周り開口側の所定位置から上下方向に並ぶように、伸張させることなく当該裏面シート２４の幅方向Ａに沿って配置される。
その後、当該複数の第二糸ゴム２２６は、その裏面シート２４のＡの中心に対応する部分にあっては、所定の糸ゴム掴み手段により掴まれて全ての第二糸ゴム２２６が股下側に引き寄せられ、さらに、その裏面シート２４の幅方向Ａの端部に対応する部分にあっては、糸ゴム掴み手段により掴まれて全ての第二糸ゴム２２６が胴周り開口側に引き寄せられることにより、引っ張られた状態となって所定のコサインカーブ状に配設される。
【００３６】
吸収性本体部２０１は、例えば、平面視にて略矩形状に形成されており、具体的には、図７及び図８に示すように、バックシート１３の長手方向の両縁部２０１ａに立体ギャザー２１５が設けられている。より具体的には、バックシート１３は、吸収体コア１１の底面を覆い、さらに吸収体コア１１の側面を覆って、吸収体コア１１の上面の長手方向の両縁部の所定位置を起点としてトップシート１２側に折り返されている。そして、バックシート１３の折り返し部分にギャザーシートが貼り付けられることにより立体ギャザー２１５が形成されている。
また、立体ギャザー２１５の自由端部には、糸ゴム２１４等の弾性部材が長手方向に亘って配されており、当該吸収性本体部２０１は長手方向に伸縮自在となっている。
【００３７】
なお、ギャザーシートは、例えば、液が透過しにくい不織布が好ましく、この不織布としては、単層のものであっても積層されたものであっても良い。
【００３８】
以上のように、本実施形態のパンツ型紙おむつ２００によれば、第二糸ゴム２６の振幅が吸収体取付シート部２の上下方向の長さと略等しくなっており、吸収体取付シート部２に第二糸ゴム２６をより長く延在させることができる。これにより、吸収性本体部１の胴周り方向Ａと交差する方向に対する伸縮性を向上させて、着用者の脚周りに対するフィット性をより向上させることができる。
【００３９】
［実施形態３］
以下に、実施形態３のパンツ型紙おむつ３００について図９〜図１１を参照して説明する。
ここで、図９は、本発明を適用した実施形態３のパンツ型紙おむつ３００の展開図であり、図１０は、パンツ型紙おむつ３００を組み立てた斜視図である。また、図１１は、パンツ型紙おむつ３００を組み立てた斜視図であり、ファスニングテープ３０３を離脱させた状態を示すものである。なお、図９にあっては、ファスニングテープ３０３の図示は省略している。
また、実施形態３のパンツ型紙おむつ３００は、吸収体取付シート部３０２以外の点では上記実施形態１及び実施形態２と略同様であるので、同様の構成には同一の符号を付してその説明を省略する。
【００４０】
図９に示すように、実施形態３のパンツ型紙おむつ３００に備わる吸収体取付シート部３０２は、着用者の腹側及び背側に設けられ胴周りを構成する腹側部及び背側部が連続するようにして形成されている。
即ち、吸収体取付シート部３０２は、例えば、上記実施形態１及び実施形態２に備わる腹側部２１及び背側部２２に比べて長尺な略矩形状に形成されている。具体的には、吸収体取付シート部３０２は、上記実施形態１及び実施形態２と同様に、表面シート２３及び裏面シート２４を備えて構成されており、これらの間に、第一糸ゴム２５及び第二糸ゴム２６が配設されている。
第一糸ゴム２５は、吸収体取付シート部３０２の幅方向Ａ側の一方の端部３０２ａから他方の端部３０２ａまで亘らせるように幅方向Ａと略平行に所定間隔を空けて複数延設されている。
第二糸ゴム２６は、吸収体取付シート部３０２の幅方向Ａ側の一方の端部３０２ａから他方の端部３０２ａまでコサインカーブを描くように延設されている。即ち、第二糸ゴム２６は、吸収体取付シート部３０２の幅方向Ａの中心を軸として略左右対称となるように延設されており、当該パンツ型紙おむつ３００を着用した状態にて腹側及び背側の中心となる部分を最下点として股下側に凸に、且つ、吸収体取付シート部３０２の着用者の左右側となる位置を最上点として吸収体取付シート部３０２の胴周り開口側に凸となるように曲線状に延設されている。
【００４１】
また、吸収体取付シート部３０２には、その幅方向Ａの中心位置に吸収性本体部２０１の幅方向Ａの中心位置をほぼ重ねるようにして当該吸収性本体部２０１が取り付けられている。そして、吸収体取付シート部３０２の幅方向Ａ側の端部３０２ａどうしが着用者の腹側となる位置にて接続され、この接続される部分に吸収性本体部２０１の図９における吸収体取付シート部３０２に取り付けられていない方の端部が取付固定されることにより、パンツ型に成形されるようになっている（図１０参照）。
また、吸収体取付シート部３０２の一方の端部３０２ａには、当該吸収体取付シート部３０２の表面に係止離脱自在なファスニングテープ３０３が設けられている（図１１参照）。このファスニングテープ３０３により、吸収体取付シート部３０２の端部どうしを互いに係止離脱自在な係止部が構成されている。
【００４２】
以上のように、本実施形態のパンツ型紙おむつ３００によれば、第一糸ゴム２５及び第二糸ゴム２６により、吸収体取付シート部３０２を胴周り方向Ａだけでなく、胴周り方向Ａと交差する方向にも伸縮させることができることとなって、着用者の脚周りのフィット性を向上させることができる。さらに、着用者の脚周りに接触する脚周り部２ａ及び胴周りに接触する胴周り部２ｂを形成する吸収体取付シート部３０２を着用者の胴周りから脚周りに亘ってより適正に接触させることができるので、当該パンツ型紙おむつ３００のフィット性を向上させて、水様成分の漏出を防止することができる。
従って、吸収体取付シート部３０２の幅方向Ａ縁部を従来のように着用者の脚周りに沿うように所定のＲ形状に切り欠く必要がなくなって、パンツ型紙おむつ３００の構成材料を無駄にすることがなくなる。このように、簡略な構造で着用者の脚周りのフィット性の向上を適正に図ることができる。
【００４３】
また、吸収体取付シート部３０２の端部３０２ａどうしは、着用者の腹側にて接続され、ファスニングテープ３０３により端部３０２ａどうしを互いに係止離脱自在となっているので、当該ファスニングテープ３０３により吸収体取付シート部３０２の着用者の身体に対するフィット性の調節、即ち、吸収体取付シート部３０２による身体の締め付け力の調節を適正に行うことができる。
【００４４】
なお、本発明は、上記実施形態１〜３に限定されることなく、本発明の趣旨を逸脱しない範囲において、種々の改良並びに設計の変更を行っても良い。
例えば、第一糸ゴム２５、第二糸ゴム２６等の本数は、図示された本数に限られるものではなく、例えば、当該パンツ型紙おむつ１００、２００、３００のサイズや胴周りや脚周りの締め付け力等に応じて適宜変更しても良い。
また、第一の弾性部材及び第二の弾性部材として第一糸ゴム２５及び第二糸ゴム２６、２２６を例示したが、これに限られるものではなく、例えば、平板状のゴムであっても良いし、ゴム以外の弾性部材であっても良い。
【００４５】
さらに、上記実施の形態では、吸収体取付シート部２、３０２を表面シート２３と裏面シート２４の２枚で構成したが、これに限られるものではなく、１枚で構成しても良いし、３枚以上で構成しても良い。
【図面の簡単な説明】
【００４６】
【図１】本発明を適用した実施形態１のパンツ型紙おむつの展開図である。
【図２】図１のパンツ型紙おむつを組み立てた斜視図である。
【図３】図１のIII−III線におけるパンツ型紙おむつの要部断面図である。
【図４】図１のIV−IV線におけるパンツ型紙おむつの要部断面図である。
【図５】本発明を適用した実施形態２のパンツ型紙おむつの展開図である。
【図６】図５のパンツ型紙おむつを組み立てた斜視図である。
【図７】図５のパンツ型紙おむつに備わる吸収性本体部の斜視図である。
【図８】図７のVIII−VIII線における吸収性本体部の要部断面図である。
【図９】本発明を適用した実施形態３のパンツ型紙おむつの展開図である。
【図１０】図９のパンツ型紙おむつを組み立てた斜視図である。
【図１１】図９のパンツ型紙おむつを組み立てた斜視図である。
【符号の説明】
【００４７】
１００、２００、３００  パンツ型紙おむつ
１、２０１  吸収性本体部
１１    吸収体コア（吸収体）
２、３０２  吸収体取付シート部
２１    腹側部
２２    背側部
２５    第一糸ゴム（第一の弾性部材）
２６、２２６  第二糸ゴム（第二の弾性部材）
３０３  ファスニングテープ（係止部）
【図１】
2006122456.tif 000003
【図２】
2006122456.tif 000004
【図３】
2006122456.tif 000005
【図４】
2006122456.tif 000006
【図５】
2006122456.tif 000007
【図６】
2006122456.tif 000008
【図７】
2006122456.tif 000009
【図８】
2006122456.tif 000010
【図９】
2006122456.tif 000011
【図１０】
2006122456.tif 000012
【図１１】
2006122456.tif 000013